(57)【要約】【課題】頭髪やまつ毛などのケラチン質繊維組織に、染毛剤やマスカラ剤などの薬剤を容易に塗布し得るブラシを提供すること。【解決手段】ブラシ１０は、芯材１４に保持された毛材１５が芯材周囲に突出してなるブラシ部１３を支持軸１１の先端に有している。芯材１４は、直線状の前方部１４ａと、前方部１４ａの後端及び支持軸１１の前端にそれぞれ連なる屈曲部１４ｂとからなる。前方部１４ａの軸線１６と支持軸１１の軸線１７とが所定距離をおいて略平行に位置している。前方部１４ａには毛材１５が保持されており、屈曲部１４ｂには毛材１５が保持されていないことが好ましい。ブラシ１０は、薬剤をケラチン質繊維組織に施すために好適に用いられる。【選択図】図３
2007319211.tif 000002
【特許請求の範囲】
【請求項１】
芯材に保持された毛材が芯材周囲に突出してなるブラシ部を支持軸の先端に有し、
前記芯材は、直線状の前方部と、該前方部の後端及び前記支持軸の前端にそれぞれ連なる屈曲部とからなり、
前記前方部の軸線と前記支持軸の軸線とが所定距離をおいて略平行に位置しているブラシ。
【請求項２】
前記前方部の軸線と前記支持軸の軸線との間の距離が１〜１０ｍｍである請求項１記載のブラシ。
【請求項３】
前記屈曲部と前記支持軸の軸線とのなす角が１０〜９０度である請求項１又は２記載のブラシ。
【請求項４】
芯材に保持された毛材が芯材周囲に突出してなるブラシ部を支持軸の先端に有し、
前記芯材は、前方部と、該前方部の後端及び前記支持軸の前端にそれぞれ連なる屈曲部とからなり、
前記前方部に保持された前記毛材の先端を結んで形成される仮想線が直線部を有するように且つ該仮想線の直線部と前記支持軸の軸線とが所定距離をおいて略平行に位置するように、前記毛材が配置されているブラシ。
【請求項５】
前記前方部に前記毛材が保持されており、前記屈曲部には前記毛材が保持されていない請求項１ないし４の何れかに記載のブラシ。
【請求項６】
前記芯材のヤング率が０．１×１０9〜１０００×１０9Ｎ／ｍ2である請求項１ないし５の何れかに記載のブラシ。
【請求項７】
前記毛材が芯材周囲にらせん状に保持されており、毛材間のピッチが０．５〜３ｍｍである請求項１ないし６の何れかに記載のブラシ。
【請求項８】
薬剤をケラチン質繊維組織に施すために用いられる請求項１ないし７の何れかに記載のブラシ。
【請求項９】
ケラチン質繊維組織が頭髪であり、薬剤が頭髪を着色するものである請求項８記載のブラシ。
【発明の詳細な説明】
【技術分野】
【０００１】
本発明はブラシに関し、更に詳しくはケラチン質繊維組織に薬剤を施すために特に好適に用いられるブラシに関する。
【背景技術】
【０００２】
従来、頭髪の根元を剤により着色する場合には（以下、本明細書では、頭髪の着色に用いるあらゆる剤を略して染毛剤と総称する）、図７に示すように、支持軸１１１と、その先端から直線状に延びる芯材１１４に保持された毛材１１５からなるブラシ部１１３とを備えた塗布具１００が用いられている。この塗布具１００によって染毛剤を例えばこめかみの毛髪の根元に施す場合には、図８に示すように、染毛剤がブラシ部１１３に保持されている塗布具１００を、そのブラシ部１１３を上に向けて立てた状態で前後に動かして、毛髪の根元に染毛剤を塗布する。毛髪の根元に染毛剤を確実に塗布するためには、塗布具１００全体を顔に近づけてブラシ部１１３を毛髪に密着させる必要がある。しかし塗布具１００全体を顔に近づけると、塗布具１００を持つ手や支持軸１１１が顔に当たりやすくなり邪魔になる。また、鏡を見ながら塗布操作を行う場合に、塗布具１００を持つ手によって毛髪の根元が死角になる。これらに起因して、染毛剤が塗りづらくなる。この不都合は、図７に示す形状の塗布具１００を用いている限り、こめかみの部分の毛髪に染毛剤を塗布する場合だけでなく、ひたい周りや、分け目などの生えぎわの毛髪に染毛剤を塗布する場合にも同様に生じる。
【０００３】
ところで、特許文献１及び２には、支持軸に対してブラシ部の芯材が湾曲した形状になっているブラシが開示されている。また特許文献３には、支持軸に対してブラシ部の芯材が所定の角度をもって傾斜しているブラシが開示されている。しかし、これらのブラシを用いて染毛剤を頭髪に塗布した場合であっても、上述の不都合は完全には解消されない。
【０００４】
【特許文献１】特開２００２−３２５６２９号公報
【特許文献２】特開２００２−３２５６３０号公報
【特許文献３】実開昭５８−４０００９号公報
【発明の開示】
【発明が解決しようとする課題】
【０００５】
従って本発明の目的は、前述した従来技術が有する種々の欠点を解消し得るブラシを提供することにある。
【課題を解決するための手段】
【０００６】
本発明は、芯材に保持された毛材が芯材周囲に突出してなるブラシ部を支持軸の先端に有し、
前記芯材は、直線状の前方部と、該前方部の後端及び前記支持軸の前端にそれぞれ連なる屈曲部とからなり、
前記前方部の軸線と前記支持軸の軸線とが所定距離をおいて略平行に位置しているブラシを提供するものである。
【０００７】
また本発明は、芯材に保持された毛材が芯材周囲に突出してなるブラシ部を支持軸の先端に有し、
前記芯材は、前方部と、該前方部の後端及び前記支持軸の前端にそれぞれ連なる屈曲部とからなり、
前記前方部に保持された前記毛材の先端を結んで形成される仮想線が直線部を有するように且つ該仮想線の直線部と前記支持軸の軸線とが所定距離をおいて略平行に位置するように、前記毛材が配置されているブラシを提供するものである。
【発明の効果】
【０００８】
本発明のブラシによれば、頭髪やまつ毛などのケラチン質繊維組織に、染毛剤やマスカラ剤などの薬剤を塗布する場合に、ブラシを持つ手やブラシの支持軸が顔に当たりにくくなる。また、鏡を見ながら塗布操作を行う場合に、ブラシを持つ手によって薬剤を塗布する部分が死角になることが起こりにくくなる。その結果、薬剤を目的の部位に首尾良く塗布することが可能になる。また、目的の部位以外に誤って薬剤を塗布しづらくなる。
【発明を実施するための最良の形態】
【０００９】
以下本発明を、その好ましい実施形態に基づき図面を参照しながら説明する。図１には、本発明のブラシの一実施形態としての染毛剤塗布具が示されている。本実施形態の塗布具１０は、棒状の支持軸１１を有している。支持軸１１の後端は、後述する染毛剤容器のキャップを兼ねるキャップ部材１２に固着されている。一方、支持軸の前端にはブラシ部１３が設けられている。
【００１０】
ブラシ部１３は、芯材１４と、該芯材１４に保持された毛材１５とから構成されている。芯材１４は、直線状の前方部１４ａと、該前方部１４ａの後端及び支持軸１１の前端にそれぞれ連なる屈曲部１４ｂとからなる。
【００１１】
毛材１５は、芯材周囲から突出している。芯材１４の軸線方向から見ると、毛材１５は放射状に突出している。毛材１５は、例えば熱可塑性樹脂からなる複数のブラシ繊維束を、二条の金属芯線材（図示せず）によって挟持しながら、これらをらせん状に捻回することによって芯材１４に保持されている。
【００１２】
図２（ａ）及び（ｂ）には、ブラシ部１３の要部拡大図が示されている。上述の通り、毛材１５は芯材１４の周囲にらせん状に保持されている。毛材１５がらせん状に保持されていることによって、髪束を割って毛材１５を髪束の奥深くまで入り込ませることができ、髪束の内部にまで染毛剤を塗布できるという利点がある。図２（ａ）及び（ｂ）に示す何れのブラシ部１３においても、該ブラシ部１３は、直線状をしている芯材１４の前方部１４ａの軸線に対して対称な形状になっている。尤も、ブラシ部１３の形状が軸線に対して対称であることは、本発明において必須のことではなく、塗布具１３の具体的な用途によっては非対称の形状であってもよい。
【００１３】
更に、図２（ａ）及び（ｂ）に示す何れのブラシ部１３においても、毛材１５は芯材１４における前方部１４ａにのみ保持されており、屈曲部１４ｂには毛材１５が保持されていない。このような構成にすることの利点は後述する。
【００１４】
図２（ａ）に示すブラシ部１３においては、中央部１３ａから後方部１３ｂにかけての毛材１５の長さは一定になっている。これに対して前方部１３ｃにおいては、ブラシ部１３の先端に向かうに連れて毛材１５の長さは次第に短くなっている。このような形状を有するブラシ部１３は、染毛剤をこめかみ等の細かい場所の毛髪に塗布するときに、毛髪を毛材１５の奥深くまで入り込ませることができるという点で有利である。また、こめかみ等の細かい場所から、分け目等の広い場所までの様々な広さの塗布対象領域に対して染毛剤を容易に塗布することができるという点でも有利である。
【００１５】
図２（ｂ）に示すブラシ部１３においては、該ブラシ部１３の長手方向の中央部に位置する毛材１５の長さが最も長く、該中央部から前方側及び後方側に向かうに連れて毛材１５の長さは次第に短くなっている。
【００１６】
図１に戻ると、芯材１４においては、その屈曲部１４ｂの屈曲形状によって、直線状の前方部１４ａの軸線１６が、支持軸１１の軸線１７と一致していない位置にある。且つ、前方部１４ａの軸線１６は、所定距離Ｄをおいて支持軸１１の軸線１７と略平行に位置している。図１に示す屈曲部１４ｂの形状は、支持軸１１の軸線１７に対して傾斜した直線形状になっているが、屈曲部１４ｂの形状はこれに限られない。本実施形態における屈曲部１４の屈曲形状は、前方部１４ａの軸線１６と支持軸１１の軸線１７とが一致しないように且つ両軸線１６，１７が所定距離Ｄをおいて略平行に位置するように、前方部１４ａを配置可能な形状をすべて包含する。略平行とは、完全に平行な場合の他に、塗布具１０の製造条件の変動の結果、不可避的に平行となっていない場合を包含する。
【００１７】
本実施形態の塗布具１０の使用形態の一例が図３に示されている。図３に示す使用形態は、染毛剤がブラシ部１３に保持されている塗布具１０を、そのブラシ部１３を上に向けて立てた状態で前後に動かして、こめかみの毛髪の根元に染毛剤を塗布する状態を示している。図３から明らかなように、塗布具１０を持つ手や支持軸１１と使用者の顔との間には空間ができている。この空間の存在によって、手や支持軸１１が顔に当たりづらくなる。従って、塗布動作が行いやすくなる。また、ブラシ部１３の全体で染毛剤を塗布しやすくなる。更に、図示していないが、本実施形態の塗布具１０を用いて、鏡を見ながら頭頂部付近の分け目の毛髪に染毛剤を塗布する場合であっても、塗布具１０を持つ手によって毛髪の根元が死角になることが起こりづらい。これによっても塗布動作が行いやすくなる。
【００１８】
しかも、こめかみの毛髪及び頭頂部の分け目の毛髪の何れに染毛剤を塗布する場合であっても、前述した通りブラシ部１３においては屈曲部１４ｂに毛材１５が保持されていないので（図１参照）、塗布対象部以外の部位への意図しない染毛剤の塗布が効果的に防止できる。その上、ブラシ部１３を毛髪に密着させても、ブラシ部１３を構成する芯材１４が浮くことに起因して、芯材１４が頭皮や毛髪に付着しにくい。更に、芯材１４に屈曲部１４ｂが存在していることで、ブラシ部１３を毛髪に押し付けたときに、該屈曲部１４がその押し付け力に反発するので、適度な力でブラシ部１３を毛髪に密着させることができ。短い毛であっても押さえながら染毛剤を塗布することができる。
【００１９】
染毛剤を一層首尾良く塗布する観点から、芯材１４のヤング率（縦弾性係数）は好ましくは０．１×１０9〜１０００×１０9Ｎ／ｍ2、更に好ましくは１０×１０9〜５００×１０9Ｎ／ｍ2，一層好ましくは５０×１０9〜２５０×１０9Ｎ／ｍ2である。芯材１４のヤング率はＪＩＳ  Ｚ  ２２８０などにより規定される静的測定法によって測定される。なお前述の説明においては、芯材１４は金属芯線材から構成されていると述べたが、芯材１４の材質はこれに限られず、例えば合成樹脂製であってもよい。
【００２０】
更に芯材１４に関しては、芯材１４における屈曲部１４ｂと支持軸１１とのなす角度や、芯材１４における直線状の前方部１４ａの軸線１６と、支持軸１１の軸線１７との距離も、染毛剤の塗布性の向上に寄与する。具体的には、図１に示すように、芯材１４における屈曲部１４ｂと支持軸１１とのなす角度θ１は好ましくは１０〜９０度、更に好ましくは１０〜７０度、一層好ましくは１０〜５０度，最も好ましくは２０〜４０度である。なお、この角度θ１は、芯材１４における屈曲部１４ｂと直線状の前方部１４ａとのなす角度θ２と略同じである。一方、前方部１４ａの軸線１６と、支持軸１１の軸線１７との距離Ｄは、好ましくは１〜１０ｍｍ、更に好ましくは１〜７ｍｍ、一層好ましくは２〜５ｍｍである。
【００２１】
前述のＤ及びθ１は、先に述べた本発明の効果、即ちブラシ１０の塗布しやすさと、ブラシ１０のマスカラ容器（後述する図４に示す容器１８）への出し入れのしやすさの二つの要因により好ましい範囲が決定される。具体的には、Ｄ及びθ１の上限値を前記の値とすることで、ブラシ１０を容器１８へ出し入れしやすくなる。またＤ及びθ１の下限値を前記の値とすることで、ブラシ１０による染毛剤の塗布が行いやすくなる。
【００２２】
染毛剤を一層首尾良く塗布するための要素をブラシ部１３の観点から検討すると、ブラシ部１３の太さ及び長さが染毛剤の塗布性に寄与する。具体的には、毛材１５のうち最も長い部分におけるブラシ部１３の太さＷ（図２（ａ）及び（ｂ）参照）が、２〜１０ｍｍ、特に５〜８ｍｍであることが好ましい。またブラシ部１３の長さＬ（図２（ａ）及び（ｂ）参照）が、１０〜４０ｍｍ、特に１３〜３０ｍｍ、とりわけ１７−３０ｍｍであることが好ましい。
【００２３】
Ｗは、染毛剤の保持及び染毛剤の塗布時の頭髪への食い込みというブラシ本来の性能と、本発明の効果である塗布のしやすさの面から設定されるＤとの関係の二つの要因から、好ましい範囲を定めることができる。具体的には、Ｗの下限値を前記の値とすることで、染毛剤の保持量を十分なものとすることができ、またブラシ部１３が頭髪へ十分に食い込むようになり、染毛剤による着色を十分なものとすることができる。一方、Ｗの上限値を前記の値とすることで、Ｄの値を上述の通りに設定したことによる本発明の効果を最大限発揮させることが可能となる。
【００２４】
ブラシ部１３に関しては、芯材周囲にらせん状に保持されている毛材１５間のピッチＰ（図２（ａ）及び（ｂ）参照）も、染毛剤の塗布性に寄与する。具体的にはピッチＰが０．５〜３ｍｍ、特に０．７〜２ｍｍであると、髪束の奥まで染毛剤を塗布することができ、また髪束の一本一本に確実に染毛剤を塗布することができる。
【００２５】
毛材１５の材質や硬さ、太さ等は、従来のスクリューブラシと同様とすることができ、染毛剤の具体的な種類に応じて適宜適切なものが選択される。
【００２６】
本実施形態の塗布具１０は、図４に示すように、染毛剤（図示せず）を収容した容器１８内に挿入されており、該塗布具１０のブラシ部１３が染毛剤中に浸漬されている状態で用いられる。先に述べたように、塗布具１０の支持軸１１の後端部は、容器１８のキャップを兼ねるキャップ部材１２に固着されている。これらの各部材から染毛剤塗布用具１９が構成されている。容器１８の内部には、しごき部材２０が取り付けられている。しごき部材２０は、染毛剤が付着したブラシ部１３を容器１８から取り出すときに、余分な染毛剤をしごき取るために用いられる。しごき部材２０は、例えばゴム等の弾性材料からなる板状部材であって、塗布具１０の通過が可能な大きさの開口が形成されたものである。
【００２７】
次に本発明の別の実施形態を図５を参照しながら説明する。本実施形態に関し特に説明しない点については、先に説明した実施形態に関する説明が適宜適用される。また、図５において、図１ないし図４と同じ部材には同じ符号を付してある。
【００２８】
本実施形態は、先に説明した実施形態と同様に、本発明のブラシを染毛剤の塗布具に適用した例である。図５に示すブラシ１０は、棒状の支持軸１１と、その後端部に固着されたキャップ部材１２を備えている。また支持軸１１の先端からは芯材１４が延出している。芯材周囲には毛材１５が保持されている。これによってブラシ部１３が形成されている。毛材１５は、芯材１４における前方部１４ａに保持されており、屈曲部１４ｂには毛材１５は保持されていない。これらの構成に関しては、先に説明した実施形態と同様である。本実施形態が、先に説明した実施形態と異なる点は、芯材１４を含むブラシ部１３の形状である。
【００２９】
芯材１４は、前方部１４ａと、該前方部１４ａの後端及び支持軸１１の前端にそれぞれ連なる屈曲部１４ｂとからなる。前方部１４ａは緩やかな曲線を描く湾曲形状をしている。屈曲部１４ｂは、支持軸１１の軸線に対して所定の角度をなすように緩やかに屈曲した形状をしている。
【００３０】
先に述べた実施形態と異なり、本実施形態においては、芯材１４の前方部１４ａは直線状になっていない。その代わりに、前方部１４ａに保持された毛材１５の先端を結んで形成される仮想線Ｆが直線部を有するように、毛材１５が配置されている。直線部の長さは，ブラシ部の長さＬの好ましくは１０〜１００％、更に好ましくは５０〜１００％、一層好ましくは７５〜１００％である。なお、塗布具１０の観察角度によっては、前方部１４ａに保持された毛材１５の先端を結んで形成される仮想線Ｆが直線部を持たない場合もある。そこで、本実施形態で言う仮想線Ｆとは、塗布具１０を支持軸１１のまわりに回転させたときに、図５に示すように、前方部１４ａの湾曲状態が最も大きくなる状態を基準として、前方部１４ａの凸状に湾曲した側に位置する毛材１５ａの先端を結んで描かれた線をいう。
【００３１】
ブラシ部１３においては、前記の仮想線Ｆが直線部を有するように毛材１５が配置されていることに加えて、該仮想線Ｆの直線部と支持軸１１の軸線１７とは略平行になるように毛材１５が配置されている。ここで言う直線とは、完全な直線以外に、塗布具１０の製造条件の変動の結果、不可避的に完全な直線になってはいないものの実質的に直線とみなすことができる場合、及び小さな振幅の波線であって実質的に直線とみなすことができる場合等を包含する。また、略平行の意味は、先に述べた意味と同じである。
【００３２】
本実施形態の塗布具１０がこのような構成になっていることによって、本実施形態の塗布具１０によれば、先に述べた実施形態と同様の有利な効果が奏される。最も顕著な効果は、塗布具１０を持つ手や支持軸１１と使用者の顔との間に空間ができることである。この空間の存在によって、手や支持軸１１が顔に当たりづらくなり染毛剤の塗布操作を首尾良く行うことができる。また、本実施形態の塗布具１０を用いて、鏡を見ながら頭頂部付近の分け目の毛髪に染毛剤を塗布する場合であっても、塗布具１０を持つ手によって毛髪の根元が死角になることが起こりづらいという、もう一つの顕著な効果も奏される。
【００３３】
本実施形態の塗布具１０においては、仮想線Ｆの直線部と、支持軸１１の軸線１７との距離Ｄ’が染毛剤の塗布性の向上に寄与する。具体的には図５に示すように、仮想線Ｆの直線部と、支持軸１１の軸線１７との距離Ｄ’が、２〜１５ｍｍ、特に４．５〜１０ｍｍであることが好ましい。
【００３４】
図５に示すように、本実施形態の塗布具１０においては、ブラシ部１３は、芯材１４の前方部１４ａの軸に関して対称になっていない。本実施形態の塗布具１０においては、図５に示す前方部１４ａの凸状に湾曲した側に位置する毛材１５ａが、主として染毛剤の塗布性に関与している。従って、前方部１４ａの凸状に湾曲した側に位置する毛材１５ａの長さが、染毛剤の塗布性の向上に寄与する。この観点から前方部１４ａの凸状に湾曲した側に位置する毛材１５ａの長さは、１〜１５ｍｍ、特に２．５〜１０ｍｍであることが好ましい。なお、図５から明らかなように、前方部１４ａの凸状に湾曲した側に位置する毛材１５ａには長いものもあれば、短いものもある。上述の毛材１５ａの長さは、これら種々の長さを有する毛材１５ａをすべて包含するものである。
【００３５】
本発明の更に別の実施形態として、先に述べた二つの実施形態を組み合わせた実施形態が挙げられる。具体的には、ブラシ部１３を構成する芯材１４が直線状の前方部１４ａと屈曲部１４ｂとからなり、前方部１４ａの軸線１６と支持軸１１の軸線１７とが所定距離Ｄをおいて略平行に位置しており、更に前方部１４ａに保持された毛材１５の先端を結んで形成される仮想線Ｆが直線部を持つように且つ仮想線Ｆの直線部と支持軸１１の軸線１７とが所定距離をおいて略平行に位置するように、毛材１５が配置されている塗布具が一層好適な実施形態として挙げられる。この実施形態を図６に示す。この実施形態は、図１に示す実施形態において、ブラシ部１３の形状として図２（ａ）に示す形状を採用したものに相当する。本実施形態は、先に述べた二つの実施形態の利点を兼ね備えたものになるので、染毛剤の塗布を更に一層首尾良く行うことができる。
【００３６】
前記の各実施形態の塗布具１０によって塗布される染毛剤としては、例えば、酸性染料を着色剤とする半永久染毛料及び一時染毛料や、酸性染料及びカーボンブラックを着色剤とする一時染毛料、あるいは顔料を着色剤とする一時染毛料などが挙げられるが、これらに制限されるものではない。
【００３７】
特に、前記の各実施形態の塗布具１０を用いることにより、頭髪の狙った部位に染毛剤を簡便に塗布することができる。しかも皮膚や意図しない部位への着色や、タレ、ハネを避けやすくなる。従って、従来よりも一層幅広い範囲の粘度、具体的には例えば１０〜３０００００ｃＰの粘度（２５℃）の染毛剤を用いることができる。換言すれば、前記の各実施形態の塗布具１０は、染毛剤の粘度に対する適応性が従来の塗布具よりも広いという利点を有する。
【００３８】
以上、本発明をその好ましい実施形態に基づき説明したが、本発明は前記実施形態に制限されない。例えば前記の各実施形態は、本発明のブラシを、染毛剤を頭髪に塗布するために用いられる塗布具に適用した例であったが、本発明のブラシはこれ以外に、ケラチン質繊維組織に薬剤を施すために用いられる塗布具に適用できる。例えばマスカラ薬剤をまつ毛やひげなどに塗布するために用いられるマスカラ塗布具に適用できる。
【図面の簡単な説明】
【００３９】
【図１】図１は、本発明のブラシの一実施形態としての染毛剤塗布具を示す正面図である。
【図２】図２（ａ）及び（ｂ）はそれぞれ図１に示す塗布具におけるブラシ部の要部拡大図である。
【図３】図３は、図１に示す塗布具の一使用形態を示す図である。
【図４】図４は、図１に示す塗布具を備えた染毛剤塗布用具を示す斜視図である。
【図５】図５は、本発明のブラシの他の実施形態としての染毛剤塗布具を示す正面図である。
【図６】図６は、本発明のブラシの更に他の実施形態としての染毛剤塗布具を示す正面図である。
【図７】図７は、従来の染毛剤塗布具を示す正面図である。
【図８】図８は、図７に示す塗布具の使用形態を示す図である。
【符号の説明】
【００４０】
１０  染毛剤塗布具（ブラシ）
１１  支持軸
１２  キャップ部材
１３  ブラシ部
１４  芯材
１４ａ  前方部
１４ｂ  屈曲部
１５  毛材
１６  前方部の軸線
１７  支持軸の軸線
【図１】
2007319211.tif 000003
【図２】
2007319211.tif 000004
【図３】
2007319211.tif 000005
【図４】
2007319211.tif 000006
【図５】
2007319211.tif 000007
【図６】
2007319211.tif 000008
【図７】
2007319211.tif 000009
【図８】
2007319211.tif 000010